(57)【要約】      （修正有）【課題】電磁加熱により、切削工具とその保持具の結合を簡易に強固なものとすることができる筒体を提供する。【解決手段】磁性化できる金属からなる筒体１０は、筒状空間１４を介して工具保持具の周りに取り付けられ、当接面１６は工具保持具に当接する。電磁加熱カバーが筒体１０の周りに取り付けられ、電磁力によって筒体１０を加熱する。筒体１０は加熱されると共に、熱はクロムを含む鋼からなる工具保持具に伝達され、工具保持具が拡張する。従って、切削工具を工具保持具内に容易に挿入することができる。切削工具が工具保持具内に挿入された後に、筒体１０と電磁加熱カバーとが取り外される。第１スリット１５Ａと第２スリット１５Ｂとによって、筒体１０を半径方向に拡張することができる。従って、筒体１０を工具保持具から容易に取り外すことができる。工具保持具の温度が低下し、緊締状態に切削工具に当接する。【選択図】図１
0003182359.tif 000002
【実用新案登録請求の範囲】
【請求項１】
工具保持具を加熱するための磁化可能な筒体であって、
第１端と、
第２端と、
軸線方向と、
同軸線方向に沿って形成される筒状空間と、
前記筒体内に形成される当接面と、を具備することを特徴とする筒体。
【請求項２】
前記筒体は、前記筒体に形成されるスリットを有し、同スリットの長手方向は前記筒体の前記軸線方向に平行に伸延し、スリット開口部が、前記筒体の前記第１端又は第２端に形成されることを特徴とする請求項１記載の筒体。
【請求項３】
前記筒体は８個のスリットを有し、各スリットの長手方向は前記筒体の前記軸線方向に平行に伸延し、前記スリットは交互に配列され、前記４個のスリットは、４個のスリット開口部をそれぞれ前記第１端に形成し、前記他の４個のスリットは、４個のスリット開口部をそれぞれ前記第２端に形成することを特徴とする請求項１記載の筒体。
【考案の詳細な説明】
【技術分野】
【０００１】
本考案は、筒体、特に工具保持具を加熱するための筒体に関する。
【背景技術】
【０００２】
高速度で作動する切削工具、例えば、フライスは、その端を、被加工物を切削するため又は研削するために、機械に組み付けられる工具保持具に挿入される。
【０００３】
図７に示すように、従来の工具保持具用の加熱装置は、工具保持具７０の周りに取り付けられ、内壁を工具保持具７０から離隔した導電コイルベース６０を具備する。工具保持具７０は、金属、特に、クロムを多量（例えば、１３％以上）に含む鋼からなる。
【０００４】
導電コイルベース６０への電力の供給によって、導電コイルベース６０は電磁力によって工具保持具７０を加熱する。遮断リング９０が工具保持具７０の端に取り付けられ、工具保持具７０の軸線方向に沿って磁束を集中的に形成する。工具保持具７０を加熱して拡張した状態で、切削工具８０を工具保持具７０内に挿入し、その後、導電コイルベース６０を工具保持具７０から取り外し、工具保持具７０を熱的に収縮させる。その結果、工具保持具７０が強固に切削工具８０に結合されることになる。
【０００５】
しかし、工具保持具７０はクロムを多量に含む鋼からなるので、容易に電磁的に加熱することはできない。従って、工具保持具７０を切削工具８０に緊締状態かつ強固に取り付けることができない。
【先行技術文献】
【特許文献】
【０００６】
【特許文献１】特開２０１１−１１３３３号公報
【考案の概要】
【０００７】
本考案の主な目的は、工具保持具を加熱するための改良型筒体、即ち、磁化でき、かつ、第１端と、第２端と、軸線方向と、同軸線方向に沿って形成される筒状空間と、前記筒体内に形成される当接面とを具備する工具保持具を加熱するための改良型筒体を提供することにある。
【０００８】
好ましくは、筒体は、前記筒体に形成されるスリットを有し、同スリットの長手方向は前記筒体の前記軸線方向に平行に伸延し、スリット開口部が、筒体の第１端又は第２端にそれぞれ形成される。
【０００９】
好ましくは、筒体は８個のスリットを有し、各スリットの長手方向は筒体の軸線方向に平行に伸延し、スリットは交互に配列され、４個のスリットは、４個のスリット開口部をそれぞれ第１端に形成し、他の４個のスリットは、４個のスリット開口部をそれぞれ第２端に形成している。
【００１０】
筒体が工具保持具の周りに緊締状態に取り付けられ、電磁加熱カバーが電磁力によって筒体を加熱するべく筒体の周りに取り付けられ、筒体が熱伝導によって工具保持具を加熱する。工具保持具は熱的に拡張し、切削工具が工具保持具に取り付けられる。筒体と電磁加熱カバーを取り除くことによって、工具保持具が熱的に収縮し、工具保持具が切削工具に強固に取り付けられる。
【図面の簡単な説明】
【００１１】
【図１】図１は、本考案の好ましい第１実施例に係る工具保持具を加熱するための筒体の斜視図である。
【図２】図２は、図１に示す筒体の一部を示す斜視図である。
【図３】図３は、図１に示す筒体の一部の動作側面図である。
【図４】図４は、本考案の好ましい第２実施例に係る工具保持具を加熱するための筒体の斜視図である。
【図５】図５は、図４に示す筒体の一部の斜視図である。
【図６】図６は、図４に示す筒体の一部の動作側面図である。
【図７】図７は、従来の工具保持具用加熱装置の一部を示す動作側面図である。
【考案を実施するための形態】
【００１２】
図１及び図２を参照して説明すると、本考案の好ましい実施例に係る工具保持具を加熱するための筒体１０は磁性化できる金属からなり、軸線方向１１と、第１端１２と、第２端１３と、筒状空間１４と、４個の第１スリット１５Ａと、４個の第２スリット１５Ｂと、当接面１６とを具備する。筒状空間１４は筒体１０の軸線方向１１に沿って形成され、それぞれ筒体１０の第１端１２と第２端１３とに形成される２つの開口部１４１を有する。第１スリット１５Ａと第２スリット１５Ｂが筒体１０に形成される。各第１スリット１５Ａは第１長手方向１５１Ａを有し、各第２スリット１５Ｂは第２長手方向１５１Ｂを有する。第１長手方向１５１Ａと第２長手方向１５１Ｂは、筒体１０の軸線方向１１に対して平行になっている。第１スリット１５Ａと第２スリット１５Ｂとは交互に配列されている。各第１スリット１５Ａは第１端１２に第１スリット開口部１５２Ａを有し、各第２スリット１５Ｂは第２端１３に第２スリット開口部１５２Ｂを有する。当接面１６は、筒体１０の内側に形成される。
【００１３】
図１及び図３を参照して説明すると、筒体１０は、筒状空間１４を介して工具保持具２０の周りに取り付けられ、当接面１６は工具保持具２０に当接する。電磁加熱カバー３０が筒体１０の周りに取り付けられ、電磁力によって筒体１０を加熱する。筒体１０は加熱されると共に、その熱容量は、熱伝導によって工具保持具２０に伝達される。工具保持具２０が加熱されると共に拡張する。従って、切削工具４０を工具保持具２０内に挿入することができる。切削工具４０が工具保持具２０内に挿入された後に、筒体１０と電磁加熱カバー３０とが取り外される。第１スリット１５Ａと第２スリット１５Ｂとによって、筒体１０を半径方向に拡張することができる。従って、筒体１０を工具保持具２０から容易に取り外すことができる。工具保持具２０の温度が低下し、緊締状態に切削工具４０に当接する。その結果、切削工具４０が強固に工具保持具２０に組み付けられる。
【００１４】
図４及び図５を参照して説明すると、好ましい第２実施例に係る筒体１０Ａの直径は、好ましい第１実施例に係る筒体１０の直径より小さく設定され、筒体１０Ａは、より小径の工具保持具の装着に用いられる。図６を参照して説明すると、筒体１０Ａが工具保持具２０Ａの周りに取り付けられ、かつ、工具保持具２０Ａに当接している。筒体１０Ａは電磁力によって加熱されると共に、その熱容量は、熱伝導によって、工具保持具２０Ａに伝達され、特に、クロムを多量に含む鋼からなる工具保持具２０Ａであっても伝達される。従って、筒体は、工具保持具２０Ａを効果的に加熱することができる。
【符号の説明】
【００１５】
１０  筒体
１１  軸線方向
１２  第１端
１３  第２端
１４  筒状空間
１４１  開口部
１５Ａ  第１スリット
１５Ｂ  第２スリット
１６  当接面
１５１Ａ  第１長手方向
１５１Ｂ  第２長手方向
１５２Ａ  第１スリット開口部
１５２Ｂ  第２スリット開口部
２０  工具保持具
３０  電磁加熱カバー
４０  切削工具
１０Ａ  筒体
２０Ａ  工具保持具
【図１】
0003182359.tif 000003
【図２】
0003182359.tif 000004
【図３】
0003182359.tif 000005
【図４】
0003182359.tif 000006
【図５】
0003182359.tif 000007
【図６】
0003182359.tif 000008
【図７】
0003182359.tif 000009